(57)【要約】【課題】振動減衰体を遊動可能な状態に常に維持することにより、シャドウマスクの振動が効果的に減衰されるカラー陰極線管を提供する。【解決手段】振動減衰体１０は、張力の印加されたシャドウマスク５に設けられた２つの取り付け孔１１を貫通して、シャドウマスク５に遊動可能な状態で取り付けられる。振動減衰体１０は、２つの取り付け孔１１をそれぞれ遊貫する２つの貫通部１３ｂと、これらを繋ぐ亘り部１３ａとを有する。亘り部１３ａには、シャドウマスク５に向かって突出した突起１４が設けられている。これにより振動減衰体１０のシャドウマスク５に対する傾斜角度が規制されるため、折り曲げ部１２ａ、１２ｂが取り付け孔１１の周縁に引っかかって、振動減衰体１０がシャドウマスク５に係止固定されてしまうのを防止できる。【選択図】　図１
2004047444.tif 000002
【特許請求の範囲】
【請求項１】
張力が印加された状態で保持されたシャドウマスクと、
前記シャドウマスク又は前記シャドウマスクに取り付けられて前記シャドウマスクの振動により振動する別部材に設けられた２つの取り付け孔と、
前記２つの取り付け孔を貫通し、遊動可能な状態で前記シャドウマスク又は前記別部材に取り付けられて、前記シャドウマスクの振動を減衰させる振動減衰体と
を備えたカラー陰極線管であって、
前記振動減衰体は、前記２つの取り付け孔をそれぞれ遊貫する２つの貫通部と、前記２つの貫通部を繋ぐ亘り部とを有し、
前記亘り部に、前記シャドウマスク又は前記別部材に向かって突出した突起又は突出部が設けられていることを特徴とするカラー陰極線管。
【請求項２】
張力が印加された状態で保持されたシャドウマスクと、
前記シャドウマスク又は前記シャドウマスクに取り付けられて前記シャドウマスクの振動により振動する別部材に設けられた２つの取り付け孔と、
前記２つの取り付け孔を貫通し、遊動可能な状態で前記シャドウマスク又は前記別部材に取り付けられて、前記シャドウマスクの振動を減衰させる振動減衰体と
を備えたカラー陰極線管であって、
前記シャドウマスク又は前記別部材の、前記２つの取り付け孔の間の領域に、前記振動減衰体に向かって突出した突起又は突出部が設けられていることを特徴とするカラー陰極線管。
【請求項３】
張力が印加された状態で保持されたシャドウマスクと、
前記シャドウマスク又は前記シャドウマスクに取り付けられて前記シャドウマスクの振動により振動する別部材に設けられた２つの取り付け孔と、
前記２つの取り付け孔を貫通し、遊動可能な状態で前記シャドウマスク又は前記別部材に取り付けられて、前記シャドウマスクの振動を減衰させる振動減衰体と
を備えたカラー陰極線管であって、
更に、前記振動減衰体によって貫通され、遊動可能な状態で前記振動減衰体に取り付けられた有孔部材を備えることを特徴とするカラー陰極線管。
【請求項４】
張力が印加された状態で保持されたシャドウマスクと、
前記シャドウマスク又は前記シャドウマスクに取り付けられて前記シャドウマスクの振動により振動する別部材に設けられた２つの取り付け孔と、
前記２つの取り付け孔を貫通し、遊動可能な状態で前記シャドウマスク又は前記別部材に取り付けられて、前記シャドウマスクの振動を減衰させる振動減衰体と
を備えたカラー陰極線管であって、
前記振動減衰体は、前記２つの取り付け孔をそれぞれ遊貫する２つの貫通部を有し、
前記振動減衰体は、前記２つの貫通部の中央位置に対して非対称形状を有することを特徴とするカラー陰極線管。
【請求項５】
前記２つの取り付け孔が前記シャドウマスクに設けられている請求項１〜４のいずれかに記載のカラー陰極線管。
【発明の詳細な説明】
【０００１】
【発明の属する技術分野】
本発明は、テレビジョン受像機又はコンピュータディスプレイに用いられるカラー陰極線管に関する。
【０００２】
【従来の技術】
近年、外光の映り込みが少なく見栄えがよいことから、画像が映し出されるフェイスパネルがほぼ平面であるカラー陰極線管が主流になりつつある。これに伴い、フェイスパネルの内面と対向して管内に配置されるシャドウマスクは従前よりも平面に近い状態で支持されるようになっている。その支持方式として、シャドウマスクを張力を印加した状態でフレームに溶接固定するテンション方式が知られている。
【０００３】
テンション方式のカラー陰極線管では、スピーカー等からの振動伝搬によりシャドウマスクが振動することによって生じる色ズレを防止するため、振動を抑制する様々な策が講じられている。例えば、特許文献１には、折り曲げによって枠状に形成された振動減衰体をシャドウマスクに遊動可能な状態で取り付ける技術が開示されている。
【０００４】
この技術によれば、シャドウマスクの振動時に振動減衰体がシャドウマスクに対して独立して運動することにより、シャドウマスクの振動エネルギーが、振動減衰体とシャドウマスクとの間の摩擦エネルギーに変換されて消費されるので、シャドウマスクの振動を減衰させることができる。更に、振動減衰体を簡単に精度良く形成することができる。
【０００５】
【特許文献１】
特開２００１−１０１９７８号公報
【０００６】
【発明が解決しようとする課題】
しかしながら、上記従来技術に示す枠状の振動減衰体は、遊動可能な状態を常に維持できるのであればシャドウマスクの振動抑制に非常に効果的であるが、図１１に示すように、振動減衰体３１の折り曲げ部３２ａ又は３２ｂがシャドウマスク５の取付孔３３の周縁に引っかかりやすく、このように振動減衰体３１が一度引っかかってシャドウマスク５に係止固定されてしまうと、再び遊動するのが不可能な状態となり、シャドウマスク５の振動を効果的に減衰させることが困難となってしまうという課題があった。
【０００７】
本発明はこのような課題を解決するためになされたものであり、遊動可能な状態を常に維持できるように取り付けられた振動減衰体を備えることにより、シャドウマスクの振動が効果的に減衰されるカラー陰極線管を提供することを目的とする。
【０００８】
【課題を解決するための手段】
上記の目的を達成するために、本発明のカラー陰極線管は以下のように構成される。
【０００９】
即ち、本発明のカラー陰極線管は、張力が印加された状態で保持されたシャドウマスクと、前記シャドウマスク又は前記シャドウマスクに取り付けられて前記シャドウマスクの振動により振動する別部材に設けられた２つの取り付け孔と、前記２つの取り付け孔を貫通し、遊動可能な状態で前記シャドウマスク又は前記別部材に取り付けられて、前記シャドウマスクの振動を減衰させる振動減衰体とを備える。
【００１０】
本発明の第１のカラー陰極線管では、前記振動減衰体は、前記２つの取り付け孔をそれぞれ遊貫する２つの貫通部と、前記２つの貫通部を繋ぐ亘り部とを有し、前記亘り部に、前記シャドウマスク又は前記別部材に向かって突出した突起又は突出部が設けられている。
【００１１】
本発明の第２のカラー陰極線管では、前記シャドウマスク又は前記別部材の、前記２つの取り付け孔の間の領域に、前記振動減衰体に向かって突出した突起又は突出部が設けられている。
【００１２】
本発明の第３のカラー陰極線管は、更に、前記振動減衰体によって貫通され、遊動可能な状態で前記振動減衰体に取り付けられた有孔部材を備える。
【００１３】
本発明の第４のカラー陰極線管では、前記振動減衰体は、前記２つの取り付け孔をそれぞれ遊貫する２つの貫通部を有し、前記振動減衰体は、前記２つの貫通部の中央位置に対して非対称形状を有する。
【００１４】
【発明の実施の形態】
本発明の上記の第１〜第４のカラー陰極線管によれば、振動減衰体の遊動可能な状態が常に維持されるので、シャドウマスクの振動が効果的に減衰され、色ズレの少ないカラー陰極線管を提供することができる。
【００１５】
以下に本発明の実施の形態を図面を用いて詳細に説明する。
【００１６】
カラー陰極線管の一例を図２に示す。カラー陰極線管１は、内面に蛍光体スクリーン２ａが形成されたパネル２とファンネル３とからなる外囲器を備える。ファンネル３のネック部３ａには電子銃４が内装されている。蛍光体スクリーン２ａに対向するシャドウマスク５がマスクフレーム６によって支持され、マスクフレーム６はスプリング（図示せず）を介してパネル２の内壁に設けられたパネルピン（図示せず）に取り付けられる。また、電子銃４から射出される電子ビーム７を偏向走査させるために、ファンネル３の外部に偏向ヨーク８が設けられている。
【００１７】
カラー陰極線管のシャドウマスク５とマスクフレーム６との組み立て体の一実施形態を図３に示す。マスクフレーム６は長方形状の枠体であり、一対の長辺フレーム６ａと一対の短辺フレーム６ｂとから構成されている。多数の開孔を有するシャドウマスク５は、矢印９の方向、つまり垂直方向（Ｘ軸方向）に張力を印加された状態で長辺フレーム６ａに溶接されている。また、シャドウマスクの張力印加方向と直交する方向、つまり水平方向（Ｙ軸方向）の端部には、振動減衰体１０が取り付けられている。
【００１８】
（実施の形態１）
図１は、シャドウマスク５に本発明の実施の形態１の振動減衰体１０が取り付けられた様子を詳細に示した部分断面図である。振動減衰体１０は、亘り部１３ａと、その両端の折り曲げ部１２ａにて亘り部１３ａに対して折り曲げられた２つの貫通部１３ｂとを有する。２つの貫通部１３ｂを、シャドウマスク５に設けられた２つの取り付け孔１１に貫通させた後、２つの貫通部１３ｂは折り曲げ部１２ｂで亘り部１３ａ側に折り曲げられ、更に折り返し部１２ｃで亘り部１３ａとは反対側に折り曲げられる。貫通部１３ｂの外径は取り付け孔１１の孔径より小さく、且つ２つの貫通部１３ｂの間隔が２つの取り付け孔１１の間隔と略等しいので、振動減衰体１０はシャドウマスク５に対して自由に遊動可能な状態でシャドウマスク５に取り付けられる。本発明において、振動減衰体１０がシャドウマスク５に対して「自由に遊動可能」とは、シャドウマスク５が振動すれば、振動減衰体１０は、シャドウマスク５の振動とは独立して、シャドウマスク５に対して浮き上がり、衝突し、跳ね返る等の運動を繰り返してできる状態を意味する。従って、シャドウマスク５が振動したとき振動減衰体１０がシャドウマスク５とは独立して運動することができない「固着」や「固定」とは明らかに異なる。
【００１９】
亘り部１３ａには、シャドウマスク５に向かって突出した二つの突起１４が設けられている。この突起１４が設けられていることにより、振動減衰体１０の亘り部１３ａがシャドウマスク５からオフセット（離間）される。これにより振動減衰体１０のシャドウマスク５の面に対する傾斜角度が規制されるため、折り曲げ部１２ａ、１２ｂが取り付け孔１１の周縁に引っかかって、振動減衰体１０がシャドウマスク５に係止固定されてしまう現象を防止することができる。
【００２０】
ここで、本発明の具体的実施例とその効果について説明する。本発明の実施例として、図１において、亘り部１３ａの長さＬ１＝７０ｍｍ、折り曲げ部１２ａ，１２ｂ間長さＬ２＝２．５ｍｍ、折り返し高さＬ３＝１．０ｍｍ、突起１４の高さＬ４＝０．５ｍｍ、折り曲げ部１２ａから突起１４の中心までの距離Ｌ５＝７．５ｍｍ、線径０．９ｍｍのＳＵＳ４３０材からなる振動減衰体１０を、シャドウマスク５の水平方向端部に片側二つずつ、孔径１．４ｍｍの取り付け孔１１に貫通させて取り付けた画面対角サイズ７６ｃｍのテンション方式のワイドカラー陰極線管を準備した。また、比較例として、突起１４を有さず、亘り部１３ａがほぼ直線状である点を除いて上記実施例の振動減衰体と同じ振動減衰体（外形および取り付け位置は上記実施例と同様とする。）をシャドウマスクに取り付けた同サイズのカラー陰極線管を準備した。
【００２１】
これら二つのカラー陰極線管について、振動による色ズレの目立ちやすい箇所である画面の中央と水平方向端との中間よりもやや端部寄りの位置（シャドウマスクの中心の座標を（Ｘ，Ｙ）＝（０，０）とするとき、座標点（２８０，０）（単位：ｍｍ）の位置）において、シャドウマスクの振動が最も著しくなる周波数帯域（約１６０Ｈｚ）の音をスピーカーから与えたときのシャドウマスクの振動の振幅と減衰時間を測定した。この結果を表１に示す。
【００２２】
【表１】
2004047444.tif 000003
【００２３】
表１から、本発明の実施例は、比較例に比べて最大振幅が小さく、また振幅の減衰時間も短いことがわかる。
【００２４】
なお、図１を用いて説明した本実施の形態では、振動減衰体１０の亘り部１３ａに設けた突起１４の形をほぼ円弧状としているが、これに限らず、例えば三角形状や台形状としてもよい。また、突起の数は二つに限定されるものではない。さらに、図４に示すように、振動減衰体１０の亘り部１３ａに、ある程度の長さを有する突出部１５を設けてもよい。また、突起又は突出部は、振動減衰体１０の材料を変形させて形成するのではなく、別部材を振動減衰体１０の亘り部１３ａに取り付けることにより形成しても良い。
【００２５】
本実施の形態では、折り曲げ部１２ｂの折り曲げ角度は、振動減衰体１０がシャドウマスク５から落下しない程度の角度であればよい。但し、図１に示すように、折り曲げ部１２ｂに対して自由端側の部分１３ｃが貫通部１３ｂに対して鋭角をなすように、折り曲げ部１２ｂで折り曲げることが好ましい。これにより、部分１３ｃによっても振動減衰体１０のシャドウマスク５の面に対する傾斜角度が規制されるため、折り曲げ部１２ａ、１２ｂが取り付け孔１１の周縁に引っかかって、振動減衰体１０がシャドウマスク５に係止固定されてしまう現象を一層防止することができる。
【００２６】
（実施の形態２）
図５は、本発明の実施の形態２を示した部分断面図である。本実施の形態が実施の形態１と異なる点は、振動減衰体１０の係止固定を防止する手段をシャドウマスク５に設けた点である。振動減衰体１０は２つの取り付け孔１１を貫通し且つ折り曲げられてシャドウマスク５に取り付けられている。シャドウマスク５の２つの取り付け孔１１の間の領域に、振動減衰体１０の亘り部１３ａに向かって突出した突起１６が設けられている。この突起１６により振動減衰体１０の亘り部１３ａがシャドウマスク５からオフセットされる。これにより、振動減衰体１０のシャドウマスク５の面に対する傾斜角度が規制されるため、折り曲げ部１２ａ、１２ｂが取り付け孔１１の周縁に引っかかって、振動減衰体１０がシャドウマスク５に係止固定されてしまう現象を防止することができる。
【００２７】
なお、突起１６の形状や個数は特に限定はない。また、突起１６の亘り部１３ａに沿った方向の長さを大きくした突出部としても良い。突起１６や突出部の形成方法は特に限定はなく、シャドウマスク５に別部材を接着、溶接などにより取り付けて形成しても良く、あるいはシャドウマスク５をプレス加工などにより変形させて形成しても良い。
【００２８】
（実施の形態３）
図６は、本発明の実施の形態３を示した部分断面図である。本実施の形態が実施の形態１，２と異なる点は、振動減衰体１０の係止固定を防止する手段を振動減衰体１０及びシャドウマスク５とは別部材として設けた点である。図６に示すように、２つの貫通部１３ｂを、２つのワッシャ（有孔部材）１７の中央の開孔１８にそれぞれ貫通させた後、シャドウマスク５に設けられた２つの取り付け孔１１に貫通させることにより、振動減衰体１０は実施の形態１と同様にしてシャドウマスク５に取り付けられている。ワッシャ１７の開孔１８は取り付け孔１１よりも孔径が小さいことが好ましい。また、ワッシャ１７は、振動減衰体１０の亘り部１３ａではなく、貫通部１３ｂにて保持されるように、その外径、孔径などが設定される。このように、亘り部１３ａとシャドウマスク５との間に、取り付け孔１１の周縁と重なるように、ワッシャ１７を振動減衰体１０に取り付けることにより、振動減衰体１０の遊動可能な状態が維持されながら、振動減衰体１０の亘り部１３ａがシャドウマスク５からオフセットされる。これにより振動減衰体１０のシャドウマスク５の面に対する傾斜角度が規制されるため、折り曲げ部１２ａ、１２ｂが取り付け孔１１の周縁に引っかかって、振動減衰体１０がシャドウマスク５に係止固定されてしまう現象を防止することができる。
【００２９】
ワッシャ１７の開孔１８の孔径は振動減衰体１０の貫通部１３ｂの外径よりも大きいことが好ましい。これにより、ワッシャ１７は振動減衰体１０に対して遊動可能な状態で振動減衰体１０に取り付けられる。その結果、振動減衰体１０に加えてワッシャ１７も振動減衰機能を発揮するので、シャドウマスク５の振動減衰効果が一層向上する。また、たとえ折り曲げ部１２ａ、１２ｂが取り付け孔１１の周縁に係止されたとしても、ワッシャ１７が振動することにより折り曲げ部１２ａ、１２ｂと取り付け孔１１の周縁との係止が解除される。
【００３０】
亘り部１３ａをシャドウマスク５からオフセットさせることができれば、別部材として設ける係止固定防止手段は図６のワッシャ１７に限定されない。例えば、図７に示すように、１枚の平板１９を、これに設けられた２つの開孔１９ａに一対の貫通部１３ｂをそれぞれ貫通させて、且つ亘り部１３ａとシャドウマスク５との間に位置させて、振動減衰体１０に取り付けても良い。この場合も、平板１９の一対の開孔１９ａの孔径及び間隔を適切に設定して、平板１９が振動減衰体１０に対して遊動可能な状態で振動減衰体１０に取り付けられる。
【００３１】
更に、図８に示すように、中空円筒形状のパイプ２０を、その中空部に亘り部１３ａを貫通させて、亘り部１３ａに取り付けても良い。この場合も、パイプ２０の中空部の孔径を適切に設定して、パイプ２０が振動減衰体１０に対して遊動可能な状態で振動減衰体１０に取り付けられる。なお、亘り部１３ａに取り付けられるパイプの数は１つである必要はなく、複数であっても良い。
【００３２】
（実施の形態４）
図９は、本発明の実施の形態４を示した部分断面図である。本実施の形態が実施の形態１〜３と異なる点は、振動減衰体１０を、一対の貫通部１３ｂの中央位置に対して非対称な形状とした点である。即ち、振動減衰体１０の上端側において、亘り部１３ａの一端２１は貫通部１３ｂを越えて上側へ延出しており、また、下端側において、折り曲げ部１２ｂでの自由端側部分２２の折り曲げ方向を下側としている。このようにすることによっても、振動減衰体１０のシャドウマスク５の面に対する傾斜角度が規制されるため、折り曲げ部１２ａ、１２ｂが取り付け孔１１の周縁に引っかかって、振動減衰体１０がシャドウマスク５に係止固定されてしまう現象を防止することができる。また、振動減衰体１０の重心位置が一対の貫通部１３ｂの中央位置より外れるので、シャドウマスク５の振動時における振動減衰体１０の運動が活発になるので、振動減衰体１０がシャドウマスク５に係止固定されにくくなる。
【００３３】
なお、本実施の形態では、振動減衰体１０が、一対の貫通部１３ｂの中央位置に対して非対称形状を有していればよく、図９のような形状に限定されない。
【００３４】
（実施の形態５）
図１０Ａは、本発明の振動減衰体１０が取り付けられたシャドウマスク組み立て体の別の例を示した概略斜視図、図１０Ｂは図１０Ａにおいて矢印１０Ｂの方向から見たシャドウマスク組み立て体の部分側面図である。本実施の形態５が図３に示したシャドウマスク組み立て体と異なる点は、本実施の形態５では、振動減衰体１０が、シャドウマスク５ではなく部材５１に取り付けられている点である。以下、この相違点について説明する。
【００３５】
図１０Ａ及び図１０Ｂに示すように、部材５１は、シャドウマスク５の、電子ビーム通過孔が形成された領域よりも水平方向の両外側の領域に取り付けられている。図１０Ｂに示すように、部材５１は、帯状の金属板からなり、中央部分がシャドウマスク５から離間するように、その両端が折り曲げられて、両端においてのみシャドウマスク５と溶接される。振動減衰体１０は、部材５１の、シャドウマスク５から離間した中央部分に形成された２つの取り付け孔（図示せず）を貫通して、遊動可能な状態で部材５１に取り付けられている。振動減衰体１０はシャドウマスク５とは接触しない。シャドウマスク５が振動すると、その振動により部材５１も振動する。このとき、振動減衰体１０が部材５１の振動を減衰させる結果、シャドウマスク５の振動も減衰される。振動減衰体１０は実施の形態１で説明したのと同様の構成を有する。従って、実施の形態１と同様に、振動減衰体１０が部材５１に係止固定されてしまう現象を防止することができる。
【００３６】
なお、図１０Ａ、図１０Ｂでは、振動減衰体１０を取り付けるための部材５１に実施の形態１を適用した例を示したが、実施の形態２〜４を適用しても良く、いずれの場合も上記と同様の効果が得られる。なお、実施の形態２を適用する場合には、突起１６（又は突出部）はシャドウマスク５ではなく、部材５１に設けられる。
【００３７】
また、振動減衰体１０が取り付けられる、シャドウマスク５とは別の部材は、シャドウマスク５に取り付けられて、シャドウマスク５の振動により振動する部材であれば、図１０Ａ及び図１０Ｂに示す部材５１に限定されない。
【００３８】
以上に説明した実施の形態１〜５では、振動減衰体１０がシャドウマスク５の水平方向の両端部にそれぞれ二つずつ取り付けられた例を示したが、カラー陰極線管のサイズやシャドウマスク５の張力分布によって振動減衰体１０の個数や大きさを適宜変更してもよい。
【００３９】
また、取り付け孔１１の開孔形状は、上記の実施の形態１〜５では円形としているが、これに限らない。例えば、一つの振動減衰体１０に対して設けられる２つの取り付け孔のうち少なくとも１つを長孔形状としてもよく、このようにすることで振動減衰体１０を取り付けやすくなる。
【００４０】
【発明の効果】
以上のように、本発明によれば、振動減衰体の遊動可能な状態が常に維持されるので、シャドウマスクの振動が効果的に減衰され、色ズレの少ないカラー陰極線管を提供することができる。
【図面の簡単な説明】
【図１】本発明の実施の形態１に係るカラー陰極線管における振動減衰体とシャドウマスクを示す断面図
【図２】本発明の一実施形態に係るカラー陰極線管の概略断面図
【図３】本発明の一実施形態に係るカラー陰極線管のシャドウマスク組み立て体を示す斜視図
【図４】本発明の実施の形態１に係るカラー陰極線管における振動減衰体とシャドウマスクの別の構成例を示す断面図
【図５】本発明の実施の形態２に係るカラー陰極線管における振動減衰体とシャドウマスクを示す断面図
【図６】本発明の実施の形態３に係るカラー陰極線管における振動減衰体とシャドウマスクを示す断面図
【図７】本発明の実施の形態３に係るカラー陰極線管における振動減衰体とシャドウマスクの別の構成例を示す断面図
【図８】本発明の実施の形態３に係るカラー陰極線管における振動減衰体とシャドウマスクの更に別の構成例を示す断面図
【図９】本発明の実施の形態４に係るカラー陰極線管における振動減衰体とシャドウマスクを示す断面図
【図１０】図１０Ａは、本発明の実施の形態５に係るカラー陰極線管におけるシャドウマスク組み立て体の概略斜視図図１０Ｂは、図１０Ａにおいて矢印１０Ｂの方向から見たシャドウマスク組み立て体の部分側面図
【図１１】従来のカラー陰極線管における振動減衰体とシャドウマスクを示す断面図
【符号の説明】
１　カラー陰極線管
５　シャドウマスク
６　マスクフレーム
１０　振動減衰体
１１　取り付け孔
１３ａ　亘り部
１３ｂ　貫通部
１４，１６　突起
１５　突出部
１７　ワッシャ（有孔部材）
１９　平板（有孔部材）
２０　パイプ（有孔部材）
５１　部材（別部材）
【図１】
2004047444.tif 000004
【図２】
2004047444.tif 000005
【図３】
2004047444.tif 000006
【図４】
2004047444.tif 000007
【図５】
2004047444.tif 000008
【図６】
2004047444.tif 000009
【図７】
2004047444.tif 000010
【図８】
2004047444.tif 000011
【図９】
2004047444.tif 000012
【図１０】
2004047444.tif 000013
【図１１】
2004047444.tif 000014